(57)【要約】      （修正有）【課題】転がりやすい形状の２以上の物品を整列させた状態でパッキングする。【解決手段】内装用パッドと、並列にスリット１０、１０、・・・の開口したトレー２との組合せを用いる。内装用パッドは、ベースボードと抑えシートとを有している。トレー２に開口したスリット１０、１０、・・・の開口内に転がりやすく、位置ずれが生じやすい２以上の物品Ｍ１〜Ｍ４の胴部の一部を受け入れてスリット１０の開口縁に引掛け、２以上の物品Ｍ１〜Ｍ４を一定位置に並列に整列させた状態でトレー２の板面に保持し、そのまま上記内装用パッドのベースボードと抑えシート間に差し込んで物品Ｍ１〜Ｍ４の表面を抑えシートで押付けて各物品Ｍ１〜Ｍ４をベースボードの板面に定着させるまでの間、物品の位置ずれを阻止する。【選択図】図６
2016088526.tif 000002
【特許請求の範囲】
【請求項１】
内装用パッドと、トレーとの組合せを有する物品運送用梱包具であって、
内装用パッドは、ベースボードと抑えシートとを有し、
ベースボードは、運搬すべき物品をパッキングする方形の板であり、板面に付された折曲線によって区画された立下り部分と立上り部分とをベースボードの両側および両端に有し、
立下り部分は、ベースボードの両端縁から下向きに、立上り部分は、ベースボードの両側縁から上向きに、それぞれ折り返される部分であり、
抑えシートは、少なくとも両端がベースボードの両立下り部分の端縁に固定され、ベースボード上の物品の表面を覆い、立下り部分の折り曲げにより、緊張して物品をベースボードに押付けて定位置に保持させるものであり、
トレーは、転がりやすい形状の複数本の物品を板面に整列させて内装用パッドのベースボードと抑えシートとの間に差し入れるものであり、板面に方形のスリットが並列に開口され、
それぞれのスリットは、内装用パッドに収納すべき前記物品の周面一部を開口内に受け入れるとともに開口内に受け入れた物品の長手方向の一部を両開口縁で支え、ベースボードと抑えシートとの間に差し入れるまでの間、トレー上での物品の位置ずれを阻止するものであることを特徴とする物品運送用梱包具。
【請求項２】
前記スリットは、スリット内の板面の一部を切り起こすことによって開口されたものであり、切り起こされた板面の一部はスリットの両側に立ち上げられ、外向きに張り出してサポートを形成し、
サポートは、スリット内に受け入れられた物品の胴部の一部を支えるものであることを特徴とする請求項１に記載の物品運送用梱包具。
【請求項３】
前記スリットは、スリット内の板面の一部を切り起こすことによって開口されたものであり、切り起こされた板面の一部はスリットの両側および前後端縁に立ち上げられ、
スリットの両側に立ち上げた板面の一部は、外向きに張り出してサポートを形成し、
サポートは、スリット内に受け入れられた物品の胴部の一部を支えるものであり、
スリットの前端または後端に立ち上げた板面の一部は、ストッパとなり、
ストッパは、スリット内に受け入れられた物品の前または後の位置を規制するものであることを特徴とする請求項１に記載の物品運送用梱包具。
【請求項４】
前記トレーのボードの板面には、内装用パッドに収納すべき物品の長さに対応して異なる長さのスリットが開口されていることを特徴とする請求項１に記載の物品運送用梱包具。
【請求項５】
前記トレーのボードの両端の一定範囲が前記スリットの方向と平行にボードの裏面に折り曲げられて台座を形成し、
台座はベースボードとトレーのボード間にスリット内に受け入れた物品一部の受け入れ空間を確保するものであることを特徴とする請求項１、２、３、または４のいずれか１に記載の物品運送用梱包具。
【発明の詳細な説明】
【技術分野】
【０００１】
本発明は物品を格納して運搬する物品運送用梱包具、特に転がりやすい形状の複数本の物品の梱包に好適な梱包具に関する。
【背景技術】
【０００２】
例えば商品の通信販売においては、商品は輸送時に受ける衝撃や振動から保護するために緩衝材などを使用して梱包し、これを箱詰めにして販売先に輸送される。販売する商品が１個の時には、商品を個別に梱包して箱詰めすればよいため格別問題にならないが、２個以上の商品を同梱するときには、梱包具を用い、それぞれの商品を定位置に保持した状態で緩衝材などを使用して梱包しなければならない。
【０００３】
一方、図１２のような物品運送用の梱包具としてベースボード２１と、両側縁をベースボードに取り付けた抑えシート２２との組合わせからなる梱包具がある（特許文献１参照）。この梱包具は抑えシート２２とベースボード２１との間に物品Ｍを差し込み、ベースボード２１の両側縁を下向きに折り曲げて抑えシート２２を緊張させ、物品Ｍをベースボード２１に押付けて定着させるというものである。説明は省略するが、特許文献１に記載の梱包具は、ベースボード２１の下方に緩衝用の空間を形成する例である。
【０００４】
この梱包具は、ノートパソコンのような機器類メーカの補修センターへ、あるいは逆に修理、保守、補修後、補修センターからユーザに返送することを主目的として開発されたものであるが、勿論ノートパソコンのような機器類の搬送用に限られるものではなく、化粧品、健康食品、サプリメントなどの商品の搬送にも用いることができる。
【０００５】
然るに、特許文献１の梱包具によれば、物品の表面Ｍを抑えシート２２で押付けて物品をベースボード２１の板面に定着させることができるが、２以上の物品を収納する場合に、２以上の物品を単に束ねてパッキングするだけでよいのであれば格別問題はないが、物品を商品としてパッキングする場合や、破損や接触による擦り傷の発生を生じさせることなくパッキングするには、それぞれの物品Ｍをベースボード２１の板面上に整列して配置しなければならないが、転がりやすい複数の商品を整列して配置するための作業は手数を要するだけでなく、たとえ物品をベースボード２１の板面に整列させたとしてもそれぞれの物品がベースボード２１の板面の定位置にとどめられているわけではないので抑えシート２２で押付けたときに位置がずれる虞れがある。胴部の形状が円筒形の物品や胴部の一部に凸面を有する物品のような転がりやすい形状のものではなおさらである。
【０００６】
このように転がりやすいために位置がずれが生じやすい形状の物品を上記梱包具にパッキングし、商品として製造ラインから出荷するような場合に、パッキング作業が厄介で、その作業に手数と時間を要すればひいては商品の生産効率を低下させる大きな要因になる。このような理由から、商品が転がりやすい形状の物品を能率よく上記梱包具にパッキングする手段の開発が望まれていた。
【先行技術文献】
【特許文献】
【０００７】
【特許文献１】特許第４４２９１９２号公報
【発明の概要】
【発明が解決しようとする課題】
【０００８】
解決しようとする問題点は、特許文献１に記載されているような抑えシートでベースボードの板面に物品を押し付けてパッキングする形式の梱包具を用いて位置ずれが生じやすい２以上の物品を一定の配列でパッキングする場合にその作業が厄介であったという点である。
【課題を解決するための手段】
【０００９】
本発明は、特許文献１に記載されているような構造の梱包具を内装用パッドとして内装用パッドとトレーとの組み合わせを用い、トレーの板面に並列に開口したスリットの開口内に物品の胴部の一部を受け入れてスリットの開口縁に引掛け、胴部の断面形状が円形や楕円形のような転がりやすく、位置ずれが生じやすい２以上の物品を一定位置に並列に整列させた状態でトレーの板面に保持し、そのまま上記内装用パッドのベースボードと抑えシート間に差し込んで物品の表面を抑えシートで押付けて各物品をベースボードに定着させるまでの間物品の位置ずれを阻止する点を最も主要な特徴とする。
【発明の効果】
【００１０】
本発明によれば、２以上の物品の胴部をスリットの開口縁に引掛けることによって、トレーの板面に２以上の物品を一定位置に保持して並列に整列させ、このトレーを内装用パッドのベースボードと、抑えシート間に差込み、ベースボードの両立下り部分を、ベースボードの両端縁から下向きに折り返し、次に立上り部分をベースボードの両側縁から上向きに折り返せば、抑えシートが緊張してトレー上に並列に整列させた物品は、表面が抑えシートで抑えられて位置ずれが生じることなく、ベースボードの板面に定着し、そのまま外箱内に格納してベースボードの立下り部分及び立上り部分の立下り及び立上り形状を保持すれば、外箱内に収容した物品の胴部の断面形状が円形や楕円形のような転がりやすいものであっても、運搬中に振動や衝撃を受けても位置ずれが生じることがない。搬送先で開梱する時には、トレーごと物品をベースボードと抑えシート間から容易に取り出すことができる。
【図面の簡単な説明】
【００１１】
【図１】（ａ）は本発明の１実施例を示す内装用パッドとトレーとの組合せを示す図である。（ｂ）は内装用パッドの図（ａ）のＸ１−Ｘ１線断面図およびトレーの図（ａ）のＹ１−Ｙ１線断面図である。
【図２】トレーに物品を搭載した例を示す図である。
【図３】（ａ）はトレーのスリットに物品を差し込んだ状態を側面から見た拡大図である。（ｂ）はトレーの板面に台座を設けた例を示す図である。
【図４】物品を搭載したトレーを内装用パッドに差し入れる要領を示す図である。
【図５】物品を搭載したトレーを内装用パッドに差し込んだ後、立下り部分をベースボードの裏面に折重ね、立上り部分を起立させた状態を示す図である。
【図６】内装用パッドの両立上り部分を起立させた状態を示す図である。
【図７】内装用パッドの両立上り部分を起立させた状態で外箱に格納する要領を示す図である。
【図８】（ａ）はスリットの両側にサポートを形成した例を示す図、（ｂ）は（ａ）のＸ２−Ｘ２線断面図である。
【図９】（ａ）はスリットの両側にサポートを、前後端面にストッパを形成した例を示す図、（ｂ）は（ａ）のＸ３−Ｘ３線断面図である。
【図１０】スリットの他の例を示す図である。
【図１１】内装パッドの他の実施例を示す図である。
【図１２】物品運送用梱包具の従来例の一つを示す図である。
【発明を実施するための形態】
【００１２】
物品の胴部の断面形状が円形、楕円形、その他外形の一部に曲面を有する容器やパケージは、化粧品、健康食品、サプリメントなどの商品に広く用いられている。本発明は、パッキングする物品の形状が転がりやすいものであっても、位置ずれを生じさせることなく迅速にパッキングするという目的を内装用パッドに、２本以上のスリットを並列に開口したトレーを組み合わせることによって実現した。
【実施例１】
【００１３】
本発明による物品運送用梱包具は、緩衝材を兼ねる内装用パッドとトレーの組み合わせからなり、外箱内に収容すべき物品を梱包するものである。
【００１４】
本発明による梱包具は、内装用パッド１と、トレー２との組合せである。
内装用パッド１は、図１（ａ）に示すように、ベースボード３と、抑えシート４との組を有し、２以上の物品を保持して外箱内に収容するものである。
【００１５】
図１（ａ）において、ベースボード３は、板面中央に物品搭載領域Ｚが確保され、物品搭載領域Ｚの板面の両側縁に立下り部分５、５を有し、前後両端縁に立上り部分６、６を有している。図中Ａ内の線はフルートの方向を示している。
【００１６】
立下り部分５は長方形をなすベースボード３の両側部分に付された折曲線７ａから先の部分であり、立上り部分６はベースボード３の両端部分に付された折曲線８ａから先の部分である。
【００１７】
この実施例では立下り部分５は、のちに折曲線７ａで下向きに折曲され、ベースボード３の下面に折り重られる。
【００１８】
また、立上り部分６は、折曲線８ａで上向きに折り返して垂直姿勢に立ち上げる部分となる。立下り部分５と立上り部分６とが交わるベースボード３の四隅の部分は保形部分９である。保形部分９は、立下り部分５を下向きに、立上り部分６を上向きに折り返したときに立上り部分６を手で保持している限り、立下り部分５をベースボード３の裏面に圧接した状態を保ち、内装用パッド１に折り曲げ形状を保持させる部分である。物品搭載領域Ｚは、ベースボード３の板面から立下り部分５と立上り部分６および４隅の保形部分９を除いた残りのベースボードの板面である。
【００１９】
この実施例は、保形部分９と立上り部分６との間に上面開放の箱体を形成する例である。図１（ａ）において、保形部分９と立上り部分６とに跨り、前記折曲線８ａから一定間隔を置いて前記折曲線８ａと平行に折曲線８ｂを引き、折曲線７ａ、８ａの交点から端を発して折曲線７ａの延長方向を互いに間隔が開く方向に伸び、さらに折曲線８ｂとの交点から立上り部分６の端縁に向けて平行に伸びる２本の折曲線７ｂ、７ｃを付している。
【００２０】
これによって、立下り部分５を折曲線７ａに沿って下向きに、立上り部分６を折曲線８ａに沿って上向きに起立させるとともに折曲線７ｂ、７ｃに沿って立上り部分６の両側部分をそれぞれ断面コ型に折曲すると、図６のように内装用パッド１の両端部分には、上面が開放され、背面の一部が開放され、底が折曲線７ａ、８ａの交点に収れんする箱体Ｂが形成される。
【００２１】
この箱体Ｂ内には例えば商品の説明書、商品見本、その他のものを収納することができる。立上り部分６に形成される箱体は部品の収納用にとどまらず、梱包具を２段以上積み重ねて外箱内に収納する場合に上段の梱包具を隔離するためのスペーサとして利用することもできる。なお、折曲線７ａ、７ｂ、７ｃ、８ａ、８ａの合流点に五角形の開口を設けておくと、立上り部分６の折り曲げが容易になる。
【００２２】
抑えシート４は、図１（ｂ）のように、両端をベースボード３の裏面に折返して、その左右側縁（立下り部分の側縁）に固定したシートである。もっとも、抑えシート４は必ずしも両端を折り返してベースボード３の裏面に張り付けなければならないものではなく、接合強度が十分であればベースボード３の表面側の両端に張り付けられていてもよい。なお、フィルム業界では厚さが２００μｍ以下を「フィルム」、２００μｍより厚いものを「シート」と慣例的に区別するケースが多いが、伸縮性に富み、所要の引き裂き強度が得られればシートの厚みは問わない。厚さ２００μｍ以下のフィルムであっても抑えシート４に使用できる。抑えシート４には、伸縮性に富み引き裂き強度の大きいポリウレタンフィルム（又はシート）、伸縮性のあるポリオレフィン系のフィルムが適している。
【００２３】
内装用パッド１は必ずしも上記の組立体に限るものではない。箱体が不要のときには、ベースボード３に付された折曲線７ａをそのまま立上り部分６の板面に延長させることによって保形部分９を立上り部分６から区画し、立下り部分５を折曲線７ａで折り曲げ、これをベースボード３の裏面に折重ねることによって保形部分９はおのずから立上り部分６の背面に密着し、そのまま立上り部分６を折曲線８ａで折り曲げて図１１のように正立姿勢に起立させることによって組立てればよい。
【００２４】
もちろん、特許文献１に記載されているようにベースボードの下方に緩衝用の空間が形成される構造の梱包具を本発明の内装用パッドとして用いることができる。
【００２５】
本発明は、ベースボードの下方に形成される緩衝用の空間の有無にかかわらず、要するにベースボードと抑えシートとからなり、抑えシートがベースボードに取り付けられ、抑えシートとベースボード間に物品を挟み、ベースボードの立下り部分を折り曲げて抑えシートを物品に押し付けてベースボードに定着させる構造を備えていれば内装用パッドに利用できる。
【００２６】
トレー２は、内装用パッド１の板面に確保する物品搭載領域Ｚと同じ大きさの段ボールの板面に、複数のスリット１０、１０・・・を並列に開口したものである。スリット１０は図２に示すように基本的に胴部が縦長円筒状で直径が異なる大小異径の物品Ｍ１〜Ｍ４のパッキングを想定して段ボール紙の板面に縦長長方形のスリット１０を４本並列に開口した例を示している。
【００２７】
各列のスリット１０は、内装用パッド１に収納すべき物品の胴部の一部を開口内に受け入れるとともに開口内に受け入れた物品の長手方向の一部を両開口縁に引掛けて支え、ベースボード３と抑えシート４との間に差し入れるまでの間、物品の位置ずれを阻止するものである。
【００２８】
なお、トレー２は通常長方形になるが、段ボール紙のフルートの方向を長手方向に設定することが重要である。フルートの方向を長手方向に設定することによって各スリット１０は、フルートの方向を横切って開口されることになってトレー２の強度を保持できる。
【００２９】
各列のスリット１０の開口長さ及び開口幅は特に限定されるものではないが、開口幅は原則的に内装用パッド１に収納すべき物品Ｍ１〜Ｍ４の胴部の直径（曲率半径）の大小にかかわらず一定であってよい。図３（ａ）に示すように、収納する物品の胴部の断面形状が円形の場合には、胴部の一部がスリット１０の横幅ｄの開口内にはまり込み、その両側縁がスリット１０の長手方向の両側開口縁１０ａ、１０ａに支えられるが、胴部の曲率半径が小さい物品（たとえば図２のＭ１）の場合には物品の胴部の直径に対し、スリット１０に支えられる幅の長さが相対的に大きい。
【００３０】
逆に胴部の曲率半径が大きい物品（たとえば図２のＭ４）の場合には物品の胴部の直径に対するスリット１０に支えられる幅が相対的に小さくなるだけのことであって、物品の胴部の一部がスリット１０の開口内にはまり込んでいる限り、物品Ｍ１〜Ｍ４はトレー２の板面に一定の姿勢で支えられる。これは物品の胴部の断面形状が円形、楕円形の他、胴部の周方向の一部に凸面を有する物品、多角形の物品などについてもあてはまる。
【００３１】
なお、スリット１０内に受け入れられた物品の一部がトレー２の板厚の範囲内に収まらないときには、図３（ｂ）に示すようにトレー２に台座１１を付設してスリット１０の下方に物品一部の受け入れ空間を確保できる。台座１１は、前記トレー２の段ボール紙の両端の一定範囲が前記スリット１０の方向と平行に裏面に折り曲げることによって形成することができる。台座１１の折り曲げに際しては、段ボール紙の裏面のライナーを残し、表面側のライナーと、フルートを切断（いわゆる半切り）することによって容易に形成できる。
【００３２】
次に本発明の梱包具を用いて物品をパッキングする要領を説明する。この例では物品Ｍ１〜Ｍ４としてわかりやすく大小異径の筒状容器をパッキングする場合を説明する。図２において、まず、トレー２の各スリット１０…にそれぞれ物品Ｍ１〜Ｍ４を安定に支持させる。物品の胴部の曲面の一部がスリット１０の開口内にはまり込んでいる限り、物品Ｍ１〜Ｍ４はトレー２の板面に一定の姿勢で安定に支えられる。物品Ｍ１〜Ｍ４の配列の順序は必ずしも図示の例に限られるものではない。
【００３３】
次に、図４に示すように内装用パッド１の両立下り部分５，５を最初やや上向きに折り返してベースボード３と、抑えシート４との間を開き、開かれたベースボード３と、抑えシート４との間に物品Ｍ１〜Ｍ４を載せたトレー２を差し込む。
【００３４】
ついで、図５に示すように、抑えシート４の張力に抗して両立下り部分５を、折曲線７ａに沿って下向きに折り曲げ、さらにベースボード３の裏面に折重ねる。これによって、抑えシート４は、立下り部分５に引っ張られて緊張する。
【００３５】
ついで、立上り部分６をベースボード３の両端縁から上向きに折り返すとともに立上り部分６に上面開放の箱体Ｂを形成する。両立上り部分６、６を起立姿勢に保持するかぎり、立下り部分５はベースボード３の裏面に圧接され、抑えシート４を緊張させ、トレー２上の物品Ｍ１〜Ｍ４をベースボード３の物品搭載領域Ｚに押し付けるため、トレー２上の物品Ｍ１〜Ｍ４には位置ずれが生じず、ベースボード３上の定位置に保持される。次いでそのまま図７のように物品Ｍ１〜Ｍ４を搭載したトレー２を収納した内装用パッド１を外箱１２内に入れ、外箱１２を施蓋して梱包を完了する。
【００３６】
本発明において、外箱１２内では、内装用パッド１は、外箱１２の形状に規制されて折り曲げ形状を保ち、外箱１２の下底を押付け、立上り部分６は、外箱１２の上底面に圧接されて内装用パッド１に支えられて外箱１２内に格納されたトレー２上の物品Ｍ１〜Ｍ４は、抑えシート４に押し付けられてベースボード３の定位置に保持され、運搬中に振動や衝撃を受けても位置ずれは生じない。
【００３７】
本発明において、図１（ａ）のように立上り部分６の板面に手指の差し込みが可能な大きさの横穴１３を開口すれば、その開口を内装用パッド１を掴むための把手として利用できる。
【００３８】
以上実施例では、トレー２の板面に縦長のスリット１０を開口した例を説明したが、図８（ａ）、（ｂ）のようにスリット１０をスリット１０内の板面の一部を切り起こすことによって開口し、切り起こされた板面の一部をスリット１０の両側に立ち上げ、これを外向きに張り出してサポート１４として利用でき、このサポート１４によってスリット１０内に受け入れられた物品Ｍ１〜Ｍ４の胴部の一部を支えることができる。
【００３９】
図９（ａ）、（ｂ）はスリット１０をスリット１０内の両側および前後の端縁一部を切り起こすことによって開口するとともに、切り起こされた両側一部を立ち上げ、これを外向きに張り出せば、スリット１０内に受け入れられた物品の胴部の一部を支えるサポート１４となり、また、スリット１０の前後の端縁一部を立ち上げればスリット１０内に受け入れられた物品の前または後の位置を規制するストッパ１５となる。
【００４０】
以上のようにトレー２の板面に縦長の同じ長さの複数のスリット１０、１０・・・を並列に開口することによって、物品をトレー２の板面のスリット１０、１０・・・のそれぞれの位置に保持できるが、内装用パッド１にパッキングする物品の組み合わせに物品の長さに長短があり、長短の物品の組み合わせがあらかじめ決まっているような場合に備えて図１０に示すようにパッキングすべき物品の長さに合わせて板面には相対的に長いスリット１０ｂと短いスリット１０ｃとを開口しておくことができる。これは図８，９の例についても同じである。
【産業上の利用可能性】
【００４１】
本発明は、化粧品、健康食品、サプリメントなどの運送用梱包具としてだけでなく、複数の物品を一定の配列に保たせて運送する梱包具として広く利用できるのは云うまでもない。
【符号の説明】
【００４２】
１  内装用パッド
２  トレー
３  ベースボード
４  抑えシート
５  立下り部分
６  立上り部分
７ａ、７ｂ、７ｃ  折曲線
８ａ、８ｂ  折曲線
９  保形部分
１０、１０ｂ、１０ｃ  スリット
１０ａ  スリットの開口縁
１１  台座
１２  外箱
１３  横穴
１４  サポート
１５  ストッパ
【図１】
2016088526.tif 000003
【図２】
2016088526.tif 000004
【図３】
2016088526.tif 000005
【図４】
2016088526.tif 000006
【図５】
2016088526.tif 000007
【図６】
2016088526.tif 000008
【図７】
2016088526.tif 000009
【図８】
2016088526.tif 000010
【図９】
2016088526.tif 000011
【図１０】
2016088526.tif 000012
【図１１】
2016088526.tif 000013
【図１２】
2016088526.tif 000014